(57)【要約】      （修正有）【課題】集光カバーが余光の散射及び自体の色の影響を利用して照明器具に色光源を付与する余光収集装置を提供する。【解決手段】照明器具１を含み、前記照明器具には、発光面１１があり、更に色付きの透明又は半透明の集光カバー２を照明器具の発光面１１に結合し、前記集光カバーには、主として底座２１を含み、前記底座の中間に透かし穴２２を開設し、且つ底座の周縁から下方へ向かって集光板を延伸し、更に底座及び集光板の結合箇所に数個の位置決め穴２３を設置してある。照明器具の発光面に光源が生じたとき、前記光源は集光カバーの透かし穴を経由して集光カバー２の集光板の上に投射され、集光カバーの色彩効果によって前記集光板に色光を生じさせることが出来る。【選択図】図１
0003157224.tif 000002
【実用新案登録請求の範囲】
【請求項１】
照明器具の余光収集装置であって、主として、
照明器具と、集光カバーと、を含み、
前記照明器具には発光面があり、且つ発光面に少なくとも一個以上のＬＥＤを敷設してあり、
前記集光カバーは色付きであり、底座を含み、且つ底座の中間に発光面と対応する透かし穴を開設すると共に、底座の周縁から下方へ向かって集光板を延伸しており、
前記集光カバーの底座と照明器具の発光面が相互に結合されていることを特徴とする照明器具の余光収集装置。
【請求項２】
前記集光カバーの透かし穴には透明又は半透明の特性を有する透明板体を結合していて、照明器具の発光面を封じることを特徴とする請求項１に記載の照明器具の余光収集装置。
【請求項３】
前記集光カバーの集光板は、斜面状に設置されていることを特徴とする請求項１に記載の照明器具の余光収集装置。
【請求項４】
前記集光カバーの集光板は、直立状に設置されていることを特徴とする請求項１に記載の照明器具の余光収集装置。
【請求項５】
前記照明器具の発光面の周縁に少なくとも一個以上の結合穴を開設すると共に、発光カバーの底座透かし穴周縁に発光面の結合穴と対応する位置決め穴を開設することによって、集光カバーと照明器具の発光面が相互に固定結合されることを特徴とする請求項１に記載の照明器具の余光収集装置。
【考案の詳細な説明】
【技術分野】
【０００１】
本考案は、照明器具の余光収集装置に関し、特に照明器具から散射された余光を色つきの集光カバーに収集することによって、集光カバーに色光源を生じさせる照明器具の余光収集装置に関するものである。
【背景技術】
【０００２】
一般街道の照明器具（街灯）の形式は数多くあり、最もよく見かける照明器具はせいぜい照明の作用のみであり、街景全体の感じとしては非常に単調で、味気なく、都市街道の景観を面白味のないものとしている。
街道の照明器具を一層趣の豊かなものにするため、市中の業者は、照明器具の柱に色とりどりのカラーランプを取り付け、照明器具によって暗所を照明するほか、カラーランプによって暗夜にキレイな感じを添え、街道全体を一層美しくしている。
【０００３】
又、従来の照明器具に生じる光源は、受光面に百パーセント照射されることはなく、約５〜１０％が大気環境の中に逸散して利用されていない。
これらから分かるように、上述した従来の照明方式には、尚幾多の欠点があり、よい設計とは言いがたく、その改良がまたれていた。
【０００４】
本考案者は、上述した従来の照明方式に派生する各項の欠点に鑑み、極力新規改善を試み、且つ長年苦心研鑽の末、ついに本考案に係る照明器具の余光収集装置の研究開発に成功した。
【考案の概要】
【考案が解決しようとする課題】
【０００５】
本考案の目的は、照明器具から散射される余光を、透明又は半透明且つ色付きの集光カバーに収集することによって、集光カバーが余光の散射及び自体の色の影響で、色光源を有する照明器具となるような照明器具の余光収集装置を提供することにある。
本考案のもう一つの目的は、構造が簡単で、操作が簡易な、且つ製造コストの安い照明器具の余光収集装置を提供することにある。
【課題を解決するための手段】
【０００６】
上述した本考案の目的を達成できる照明器具の余光収集装置は、主として、照明器具と、集光カバーなどの構成部品によって組成される。前記照明器具には、発光面があり、その発光面には数個のLEDを含み、且つ数個の結合穴を開設してあり、更に集光カバーを照明器具の発光面に固定結合してある、そして、集光カバーは、主として、底座を含み、底座の中間に透かし穴を開設し、且つ透かし穴の周縁に発光面の結合穴と対応する位置決め穴を開設し、更に底座の周縁に下方へ向かって集光板を延伸してある。照明器具の発光面に光源が生じた場合、その光源は集光カバーの透かし穴を経由して受光面へ照射し、集光カバーの集光板の上に投射され、集光カバーの色彩効果によって、前記集光板に色付き光源を生じさせる。
【考案の効果】
【０００７】
本考案に係る照明器具の余光収集装置は、その他従来の技術に比べ、更に下記のような長所がある、
（１）本考案は、照明器具から散射する余光を透明或いは半透明且つ色つきの集光カバーに照射させることによって、集光カバーが余光の散射を受けて発光し、同時に集光カバーの色が異なるため、集光カバーが異なる色を呈する光源となる。
（２）本考案は、構造の簡単な、操作が簡易且つ低コストで製造できる照明器具の余光収集装置である。
（３）本考案は、主要照明器具の余光を収集するだけで、余分の電力を提供しなくとも、異なる光色を生じて美化する効果があり、更に省エネの効果と利益がある。
【図面の簡単な説明】
【０００８】
【図１】本考案に係る照明器具の余光収集装置の斜視分解図である。
【図２】前記照明器具の余光収集装置の斜視結合図である。
【図３】前記照明器具の余光収集装置の余光散射略図である。
【図４】前記照明器具の余光収集装置の実施略図である。
【図５Ａ】前記照明器具の余光収集装置のもう一つの実施例の斜視分解図及び結合図である。
【図５Ｂ】前記照明器具の余光収集装置のもう一つの実施例の斜視分解図及び結合図である。
【図６】前記照明器具の余光収集装置の又もう一つの実施例図である。
【考案を実施するための形態】
【０００９】
以降に図面を参照しながら本考案を実施するための形態について説明するが、この詳細な説明は本考案の実行可能な実施例の具体的な説明にすぎない。但し、実施例は、本考案の請求範囲を制限するものではなく、凡そ本考案の技術思想を逸脱せずになされる等価の実施、或いは変更も全て本考案に含まれるものとする。
以上を総合して、本案は空間形態上確かに創造的であるのみならず、従来の物品に比べて、上述多項目の効能を増進しており、新規性及び進歩性の登録要件を十分満たしておるものである。
【実施例】
【００１０】
図１及び図２は、本考案に係る照明器具の余光収集装置の斜視分解図及び結合図である。本考案に係る照明器具の余光収集装置は、主として、照明器具１と、集光カバー２と、を含む。
【００１１】
前記照明器具１には発光面１１があり、且つ前記発光面１１には少なくとも一個以上のLED１１１を敷設すると共に、発光面１１の周縁に少なくとも一個以上の結合穴１１２を開設してある。
前記集光カバー２は、色付きの透明或いは半透明の材質で作られ、主として、底座２１を含む。且つ底座２１の中間に発光面１１に対応する透かし穴２２を開設すると共に、透かし穴２２の周縁に発光面１１の結合穴１１２に対応する位置決め穴２３を開設する。更に底座２１の周縁から下方へ集光板２４を延伸してある。前記集光カバー２は、照明器具の発光面１１に結合されている。
【００１２】
前記照明器具１及び集光カバー２は、固定部品３によって集光カバー２の位置決め穴２３に穿設して照明器具１の結合穴１１２に固定され、二つの構成部品が一体となって固定されている。
【００１３】
図３は、前記照明器具の余光収集装置の余光散射略図である。照明器具１の光源が下方へ散射する時、その照明過程において派生する余光は集光カバー２の集光板２４に照射され、集光板２４を明るく照らす。このとき、集光カバー２は集光カバー２の材質色彩の違いによって、異なる色を呈す。街灯に応用する場合（図四に示すように）は、夜間の街景を一層ロマンチックで生き生きした美しさで表すことが出来る。
【００１４】
図５Ａ，Ｂは、前記照明器具の余光収集装置の別の実施例の斜視分解図及び結合図である。集光カバー２の底座２１の透かし穴２２に透明且つ透光材質の板体４を結合して照明器具１の発光面１１を封じ、前記板体４を発光面１１のランプカバーとして形成させ、ホコリなどが照明器具１の中に入り込むことを防ぐ。
尚、前記集光カバー２の底座２１は、直接透明或いは半透明の透明カバーとして形成してもよい。
【００１５】
又、図２に示すように、前記集光カバー２の集光板２４は、斜面状に設置してもよい。
【００１６】
又、図６に示すように、前記集光カバー２の集光板２４は、直立状に設置してもよい。
【符号の説明】
【００１７】
１  照明器具
１１  発光面
１１１  LED
１１２  結合穴
２  集光カバー
２１  底座
２２  透かし穴
２３  位置決め穴
２４  集光板
３  固定部品
４  板体
【図１】
0003157224.tif 000003
【図２】
0003157224.tif 000004
【図３】
0003157224.tif 000005
【図４】
0003157224.tif 000006
【図５Ａ】
0003157224.tif 000007
【図５Ｂ】
0003157224.tif 000008
【図６】
0003157224.tif 000009